(57)【要約】【課題】結合強度及び取付性に優れた部品の取付構造を提供する。【解決手段】表面に突起部１１を備えたクランプ１０（被取付部品）と、突起部１１が挿通される貫通孔２２を備えたカバー２０（取付部品）と、貫通孔２２に突起部１１を挿通しクランプ１０にカバー２０を被覆した状態で、突起部２２に留め具３０を係合する部品の取付構造であって、留め具３０は、軸部３１と、この軸部３１の軸線に沿って延びて突起部１１を挿通可能な軸孔３２と、軸部３１の後端に形成されるフランジ部３３と、軸孔３２内に形成される係合部３４とから成り、突起部１１は先端に頭部１２を備え、軸孔３２に突起部１１を頭部１２から挿通して頭部１２と係合部２４とを係合することによってクランプ１０とカバー２０とを固定する部品の取付構造による。【選択図】図２
2013210036.tif 000002
【特許請求の範囲】
【請求項１】
表面に突起部を備えた被取付部品と、この突起部が挿通される貫通孔を備えた取付部品と、この貫通孔に突起部を挿通し、当該突起部に留め具を係合することで、被取付部品と取付部品とを固定する部品の取付構造であって、
前記留め具は、軸部と、この軸部の軸線に沿って延びて前記被取付部品の突起部を挿通可能な軸孔と、軸部の後端に形成されるフランジ部と、当該軸部の軸孔内に形成される係合部とから成り、前記突起部は先端に頭部を備え、前記留め具の軸孔に前記被取付部品の突起部を頭部から挿通して当該頭部と軸孔内の係合部とを係合することによって被取付部品と取付部品とを固定することを特徴とする部品の取付構造。
【請求項２】
前記留め具の係合部が、軸孔の先端開口部から軸孔内へ延び、フランジ部側に向かうにつれて中心方向に対して傾斜していることを特徴とする請求項１に記載の部品の取付構造。
【請求項３】
前記留め具の係合部が、複数の係合爪から成ることを特徴とする請求項１又は２に記載の部品の取付構造。
【発明の詳細な説明】
【技術分野】
【０００１】
本発明は、被取付部品に部品を取り付ける部品の取付構造に関する。
【背景技術】
【０００２】
従来から、取付部品と被取付部品の取付構造としては、ねじ止めが広く知られている。しかしながら、ねじ止めでは、専用の工具及びねじ締め作業が必要となり、取付工数がかかる。そこで、特許文献１に示すようなワンタッチ式の取付構造が考案されている。この取付構造は、ケーブルクランプ本体（以下、取付部品ともいう）と、保護カバー（以下、被取付部品ともいう）の固定に関するものであり、取付部品の表面に係合突起部を成形し、この係合突起部に保護カバーの貫通孔を挿入することで固定できるように構成されている。
【先行技術文献】
【特許文献】
【０００３】
【特許文献１】特開平４−３１６００３号公報
【発明の概要】
【発明が解決しようとする課題】
【０００４】
しかしながら、上記ねじ止めは、結合強度に優れる反面、取付性で劣る。一方、上記ワンタッチ式取付構造は、取付性に優れる反面、結合強度で劣る。
【０００５】
本発明は、上記課題に鑑みて創成されたものであり、結合強度及び取付性に優れた部品の取付構造を提供することを目的とする。
【課題を解決するための手段】
【０００６】
上記目的を達成するために、本発明は、表面に突起部を備えた被取付部品と、この突起部が挿通される貫通孔を備えた取付部品と、この貫通孔に突起部を挿通し、当該突起部に留め具を係合することで、被取付部品と取付部品とを固定する部品の取付構造であって、前記留め具は、軸部と、この軸部の軸線に沿って延びて前記被取付部品の突起部を挿通可能な軸孔と、軸部の後端に形成されるフランジ部と、当該軸部の軸孔内に形成される係合部とから成り、前記突起部は先端に頭部を備え、前記留め具の軸孔に前記被取付部品の突起部を頭部から挿通して当該頭部と軸孔内の係合部とを係合することによって被取付部品と取付部品とを固定する。
【０００７】
また、第２の課題解決手段は、前記留め具の係合部が、軸孔の先端開口部から軸孔内へ延び、フランジ部側に向かうにつれて中心方向に対して傾斜する構成としたものである。
【０００８】
また、第３の課題解決手段は、前記留め具の係合部が、複数の係合爪から成る構成としたものである。
【発明の効果】
【０００９】
本発明の部品の締結構造は、簡単に部品を取り付けられ、かつ締結強度に優れている。
【図面の簡単な説明】
【００１０】
【図１】本発明の部品の取付構造を示す全体図である。
【図２】本発明の部品の取付構造において留め具の係合状態を示す一部切欠斜視断面図である。
【図３】本発明の部品の取付構造において留め具を示す図であって、（ａ）は、上方斜視図であり、（ｂ）はその一部を切り欠いた図である。
【発明を実施するための形態】
【００１１】
本発明の第一実施形態を図１乃至図４に基づいて説明する。図１に示すように、本発明の部品の取付構造１は、複数のケーブル２、配管（図示せず）等を結束して保持するＵ字型のクランプ１０（被取付部品の一例）と、合成樹脂製であって適度な硬度と柔軟性を有し、割り溝２１で半開きにしてクランプ１０を被覆する円筒形状のカバー２０（取付部品の一例）と、クランプ１０にカバー２０を固定するための留め具３０とから構成されている。このクランプ１０の外周面には突起部１１が一体成形されており、当該クランプ１０の外周円に沿って３箇所に配置されている。一方、カバー２０には当該突起部１１と同数の貫通孔２２が設けてあり、この貫通孔２２に突起部１１を挿通させるようにしてカバー２０が被覆してある。この状態で突起部１１に前記留め具３０を係合することによって、クランプ１０とカバー２０とが固定されている。
【００１２】
図２に示すように、前記クランプ１０の外周面には円柱の台座１２が一体成形されており、ここに前記突起部１１が立設するように一体成形されている。また、この突起部１１においては、その外周面に勾配のついた補強リブ１３が一体成形されており、先端には大径の頭部１４が一体成形されている。
【００１３】
図２及び図３に示すように、前記留め具３０は、合成樹脂製であり、軸部３１と、この軸部３１の後端に一体成形されるフランジ部３３とから成る。この軸部３１は、軸線に沿って延びる軸孔３２を有しており、この軸孔３２に前記クランプ１０の突起部１１を挿通するように構成されている。また、軸部３１は、軸孔３２の内部に成形される係合爪３４（係合部の一例）を有している。この係合爪３４は、軸孔３２の先端開口部３２ａから内部へ延びて、フランジ部３３の位置する方向へ向かうにつれて中心方向に傾斜するテーパー状を成している。また、この係合爪３４は、複数成形されており、軸孔３２に突起部１１を挿入したとき、当該突起部１１の頭部１４に押されて拡径するように構成されている。
【００１４】
図２に示すように、クランプ１０にカバー２０を固定するには、クランプ１０にカバー２０を被覆した状態で、留め具３０の軸孔３２にクランプ１０の突起部１１を頭部１４から挿入する。そうすると、突起部１１の頭部１４が係合爪３４を押し拡げながら最終的に係合爪３４の先端から露出する。このため、係合爪３４の先端が頭部１４の座面に引っ掛かかるとともに、留め具３０のフランジ部３３の座面がカバー２０の表面を押さえつけるので、クランプ１０とカバー２０が固定される。
【００１５】
上記部品の取付構造１は、留め具３０の軸孔３２にクランプ１０の突起部１１を挿入するだけで、簡単にクランプ１０とカバー２０とを固定できる。また、留め具３０の係合爪３４がテーパ状を成しているので突起部１１をスムーズに挿入することができる。さらに、係合爪３４は、分割するようにして複数成形されているので撓みやすく、突起部１１の挿入性が益々向上する。しかも、クランプ１０とカバー２０とを留め具３０を介して固定しているので、結合強度に優れており、カバー２０を取り外そうと外力が加わっても簡単に外れることなく、破損しない構造になっている。
【００１６】
１  部品の取付構造
２  ケーブル
１０  クランプ（被取付部品）
１１  突起部
１２  台座
１３  補強リブ
１４  頭部
２０  カバー（取付部品）
２１  割り溝
２２  貫通孔
３０  留め具
３１  軸部
３２  軸孔
３３  フランジ部
３４  係合爪（係合部）
【図１】
2013210036.tif 000003
【図２】
2013210036.tif 000004
【図３】
2013210036.tif 000005